(57)【要約】【課題】建物の構造や地域、利用者などに応じて、適切な断熱性能を有する宅配ボックスを提供する。【解決手段】宅配ボックス１は、建物の外壁９を貫通するように設置可能な荷受箱２を具備している。荷受箱２は、屋外に開口する荷受口２１と、屋内に開口する荷出口２３とを備える。宅配ボックス１は、荷受口２１を開閉する第１扉４と、荷出口２３を開閉する第２扉５とをさらに具備する。断熱性を有しかつ第１扉４を覆う第１カバー７が第１扉４に対して着脱自在に取付可能である。断熱性を有しかつ第２扉５を覆う第２カバー８が第２扉５に対して着脱自在に取付可能である。【選択図】図１
2017225496.tif 000002
【特許請求の範囲】
【請求項１】
建物の外壁を貫通するように設置可能な荷受箱を具備し、
前記荷受箱は、
屋外に開口する荷受口と、
屋内に開口する荷出口とを備え、
前記荷受口を開閉する第１扉と、
前記荷出口を開閉する第２扉とをさらに具備し、
断熱性を有しかつ前記第１扉を覆う第１カバーが前記第１扉に対して着脱自在に取付可能であり、
断熱性を有しかつ前記第２扉を覆う第２カバーが前記第２扉に対して着脱自在に取付可能であることを特徴とする宅配ボックス。
【請求項２】
前記第１扉に対して、互いに断熱性が異なる複数種類の第１カバーが選択的に取付可能であり、
前記第２扉に対して、互いに断熱性が異なる複数種類の第２カバーが選択的に取付可能であることを特徴とする請求項１に記載の宅配ボックス。
【請求項３】
前記第１扉に対して、第１カバーが第１の固着具によって着脱自在に取付可能であり、
前記第２扉に対して、第２カバーが第２の固着具によって着脱自在に取付可能であることを特徴とする請求項１又は請求項２に記載の宅配ボックス。
【請求項４】
前記荷受箱と前記荷受口を閉塞した前記第１扉との間、及び前記荷受箱と前記荷出口を閉塞した前記第２扉との間のうち少なくとも一方に配置される断熱部材をさらに具備したことを特徴とする請求項１〜３のいずれか１項に記載の宅配ボックス。
【請求項５】
前記第１扉に対して着脱自在に取付可能な第１カバーと、
前記第２扉に対して着脱自在に取付可能な第２カバーとをさらに具備したことを特徴とする請求項１〜４のいずれか１項に記載の宅配ボックス。
【請求項６】
前記第１カバーは、前記第１扉に取り付けられた状態で前記第１扉の表面と外周面とを覆い、
前記第２カバーは、前記第２扉に取り付けられた状態で前記第２扉の表面と外周面とを覆うことを特徴とする請求項５に記載の宅配ボックス。
【発明の詳細な説明】
【技術分野】
【０００１】
本発明は宅配ボックスに関する。
【背景技術】
【０００２】
特許文献１には宅配ボックスが開示されている。この宅配ボックスは、住宅の外壁を貫いた状態で設けられる。
【先行技術文献】
【特許文献】
【０００３】
【特許文献１】特開２００３−３８３３６号公報
【発明の概要】
【発明が解決しようとする課題】
【０００４】
特許文献１に示すように、宅配ボックスが建物の外壁を貫いた状態で設けられると、宅配ボックスを介して屋外側と屋内側との間で熱の移動が生じる。このため、外気温に応じて建物内の温度変化が生じ、建物内が快適な環境に保たれ難くなったり、結露が生じやすくなったりする可能性がある。
【０００５】
前述した宅配ボックスを介した熱の移動は、宅配ボックスの断熱性能を高めることで抑制できる。ここで、宅配ボックスにおいて要求される断熱性能は、宅配ボックスが設置される建物の構造や地域、利用者などによって異なる。
【０００６】
本発明は前記事情に鑑みてなされたものであって、建物の構造や地域、利用者などに応じて、適切な断熱性能を有する宅配ボックスを提供することを目的とする。
【課題を解決するための手段】
【０００７】
前記目的を達成するために本発明に係る一態様の宅配ボックスは、以下の特徴を有する。建物の外壁を貫通するように設置可能な荷受箱を具備する。前記荷受箱は、屋外に開口する荷受口と、屋内に開口する荷出口とを備える。宅配ボックスは、前記荷受口を開閉する第１扉と、前記荷出口を開閉する第２扉とをさらに具備する。断熱性を有しかつ前記第１扉を覆う第１カバーが前記第１扉に対して着脱自在に取付可能である。断熱性を有しかつ前記第２扉を覆う第２カバーが前記第２扉に対して着脱自在に取付可能である。
【発明の効果】
【０００８】
本発明に係る一態様の宅配ボックスは、建物の構造や地域、利用者などに応じて、適切な断熱性能を有する宅配ボックスを提供できる。
【図面の簡単な説明】
【０００９】
【図１】図１は本発明に係る第１実施形態の宅配ボックスを前方から見たときの分解斜視図である。
【図２】図２は同上の宅配ボックスを後方から見たときの斜視図である。
【図３】図３は同上の宅配ボックスの設置状態を示した水平断面図である。
【図４】図４Ａは第２実施形態の宅配ボックスが具備する断熱性能の低い第１カバーの水平断面図である。図４Ｂは第２実施形態の宅配ボックスが具備する断熱性能の高い第１カバーの水平断面図である。
【図５】図５は第３実施形態の宅配ボックスの設置状態を示した水平断面図である。
【図６】図６は第４実施形態の宅配ボックスの設置状態を示した水平断面図である。
【発明を実施するための形態】
【００１０】
以下に示す実施形態は、宅配ボックスに関し、詳しくは、建物の外壁を貫通するように設置される宅配ボックスに関する。
【００１１】
（第１実施形態）
図１及び図２に示す本実施形態の宅配ボックス１は、断熱性を有するカバー７，８を、荷受口２１を開閉する第１扉４と、荷出口２３を開閉する第２扉５とに対して、それぞれ着脱自在に取り付けられるようにしている。以下、宅配ボックス１について詳述する。
【００１２】
本実施形態の宅配ボックス１は、例えば図３に示すように、建物の外壁９を貫通するように設置される。本実施形態の宅配ボックス１が設けられる外壁９は、住宅の玄関壁（玄関扉が設置される外壁）である。
【００１３】
外壁９には屋内外方向に貫通した貫通孔９０が設けられている。宅配ボックス１は、この貫通孔９０に設置される。以下では、宅配ボックス１について、外壁９に設置された状態における方向を用いて説明する。具体的には、宅配ボックス１の屋外側を前方とし、宅配ボックス１の屋内側を後方とし、前後方向と直交する方向を左右方向として、宅配ボックス１について説明する。
【００１４】
本実施形態の宅配ボックス１は、図１及び図２に示すように、荷受箱２と、第１扉４と、第２扉５とを具備している。なお、以下では、特に記載する場合を除き、閉じられた状態にある第１扉４及び第２扉５について説明する。
【００１５】
荷受箱２は前後方向に開口した縦長の矩形箱状に形成されている。荷受箱２は例えば金属製である。荷受箱２は、図３に示すように、前端部（屋外側の端部）が外壁９に埋め込まれ、かつ前端部よりも後方の部分（屋内側の部分）が外壁９よりも後方に突出した状態で設置される。
【００１６】
荷受箱２の内側には、宅配物が収容される収容スペース２０が形成されている。収容スペース２０は、荷受箱２の前板部２２、後板部２４、左右の側板部３０，３１、底板部２８（図１参照）、及び天板部２９（図１参照）で囲まれた空間である。
【００１７】
荷受箱２において屋外に露出する部分には、荷受口２１が形成されている。本実施形態の荷受口２１は、荷受箱２の前面を構成する前板部２２に形成されている。荷受口２１は正面視矩形状の開口部であり、前板部２２を前後方向に貫通している。荷受口２１は収容スペース２０に通じている。宅配業者は屋外から荷受口２１を通じて収容スペース２０に宅配物を収容できる。
【００１８】
荷受箱２において屋内に露出する部分（外壁９よりも後方に突出する部分）には、荷出口２３が形成されている。本実施形態の荷出口２３は、荷受箱２の後面を構成する後板部２４に形成されている。荷出口２３は背面視矩形状の開口部であり、後板部２４を前後方向に貫通している。荷出口２３は収容スペース２０に通じている。利用者は収容スペース２０に収容された宅配物を、屋内から荷出口２３を通じて取り出すことができる。
【００１９】
荷受箱２の前端部には、荷受口２１を開閉する第１扉４が取り付けられている。第１扉４は正面視矩形状に形成されており、例えば金属板を折曲加工することで製造される。
【００２０】
本実施形態の第１扉４は、後方に開口した浅底の箱状に形成されている。具体的に第１扉４は、正面視矩形状の平板部４０と、平板部４０の周縁部から後方に向かって突出した矩形枠状の周板部４１と、周板部４１の後縁部から内側に向かって突出した矩形枠状の縁片部４２とを備えている。
【００２１】
本実施形態の第１扉４は、第１扉４の右側又は左側の側端部が荷受箱２に対してヒンジ（図示せず）を介して上下軸回り方向に回転可能に連結されている。ここで、上下軸回り方向とは、上下方向と平行な回転軸を中心に回転する方向を意味する。荷受口２１は第１扉４が荷受箱２に対して回転することで開閉される。
【００２２】
図１に示すように、第１扉４の前面を構成する平板部４０には、宅配業者によって操作される操作部４３と、伝票を差し込むための差込口４４とが設けられている。操作部４３は、第１扉４を開くための開ボタン４５と、差込口４４に差し込まれた伝票に捺印するための捺印ボタン４６とを有している。開ボタン４５、捺印ボタン４６、及び差込口４４は、平板部４０に設けられた矩形状の操作パネル４７に設けられている。
【００２３】
図３に示すように、荷受箱２の後端部には、荷出口２３を開閉する第２扉５が取り付けられている。本実施形態の第２扉５は背面視矩形状に形成されており、第１扉４と同様に、金属板を折曲加工することで形成されている。
【００２４】
第２扉５は、前方に開口した浅底の箱状に形成されている。第２扉５は、背面視矩形状の平板部５０と、平板部５０の周縁部から前方に向かって突出した矩形枠状の周板部５１と、周板部５１の前縁部から内側に向かって突出した矩形枠状の縁片部５２とを備えている。
【００２５】
本実施形態の第２扉５は、第２扉５の右側又は左側の側端部が荷受箱２に対してヒンジ（図示せず）を介して上下軸回り方向に回転可能に連結されている。荷出口２３は第２扉５が荷受箱２に対して回転することで開閉される。
【００２６】
荷受箱２の内面には、断熱材２５が設けられている。本実施形態では、板状の断熱材２５が、荷受箱２の内面の略全体に亘るように、荷受箱２の左右の側板部３０，３１、底板部２８（図１参照）、及び天板部２９（図１参照）の各々の内面に取り付けられている。これら複数の断熱材２５の各々は、例えば発泡スチロールやウレタンフォームなどの断熱性を有する材料から形成される。このように荷受箱２に断熱材２５が設けられることで、宅配ボックス１を介して屋外側と屋内側との間で熱の移動が生じ難くなる。
【００２７】
図２に示すように、本実施形態の宅配ボックス１は、断熱部材６をさらに具備している。断熱部材６は、第２扉５を閉じた状態において、荷受箱２と第２扉５との間に配置されて、荷受箱２と第２扉５との間を断熱する。
【００２８】
荷出口２３の周縁部の全周のうち、下縁部を除く３辺（上縁部及び左右の側縁部）は、荷受箱２の後板部２４から後方に突出した口枠部２６で構成されている。図３に示すように、口枠部２６の後端部には、外方に向かって突出した鍔状の扉受片２７が形成されている。扉受片２７は、背面視で下方に開口したコ字状（略Ｕ字状）に形成されている。扉受片２７の後面には、周方向の全長に亘って第１のパッキン６１が取り付けられている。
【００２９】
図２に示すように、第２扉５の平板部５０の裏面（前面）において荷出口２３の下縁部に対応する部分には、左右方向に延びた第２のパッキン６２が取り付けられている。本実施形態では、この第２のパッキン６２と第１のパッキン６１とで、断熱部材６が構成されている。
【００３０】
第１のパッキン６１及び第２のパッキン６２の各々は、例えばゴムやウレタンなどの断熱性の優れた材質から形成されており、金属製の第２扉５及び荷受箱２よりも熱伝導率が低い。
【００３１】
図３に示すように、荷出口２３が第２扉５によって閉塞されたとき、第１のパッキン６１は第２扉５の平板部５０と荷受箱２の扉受片２７との間に挟まれる。また、このとき、第２のパッキン６２（図２参照）は、第２扉５の平板部５０と、荷受箱２の後板部２４における荷出口２３の下縁部との間に挟まれる。これにより、第２扉５の平板部５０と荷受箱２における荷出口２３の周縁部との間は、荷出口２３の周縁部の全周に亘って第１のパッキン６１と第２のパッキン６２とで封止される。また、第１のパッキン６１と第２のパッキン６２とにより、第２扉５と荷受箱２との間で生じる熱の移動が抑制される。このため、外気温が変化しても建物内の温度が変化し難くなり、また、第２扉５において結露が生じ難くなる。
【００３２】
宅配ボックス１は、第１扉４に着脱自在に取り付けられる第１カバー７と、第２扉５に着脱自在に取り付けられる第２カバー８とをさらに具備している。なお、以下では、特に記載する場合を除き、第１カバー７及び第２カバー８については、第１カバー７及び第２カバー８を閉じた第１扉４及び閉じた第２扉５にそれぞれ取り付けた状態を説明する。
【００３３】
第１カバー７は第１扉４よりも断熱性が優れた材質から形成されており、例えば合成樹脂製である。図１に示すように、第１カバー７は正面視において第１扉４よりも一回り大きい矩形状に形成されている。第１カバー７は、矩形板状の前壁部７０と、前壁部７０の周縁部から後方に向かって突出した矩形枠状の周壁部７１とを備えている。
【００３４】
第１カバー７には、第１扉４が嵌め込まれる嵌込部が形成されている。本実施形態の嵌込部は、図３に示すように、前壁部７０と周壁部７１とで構成され後方に開口した凹部７２である。凹部７２は背面視矩形状に形成されている。
【００３５】
図１に示す第１カバー７の前面を構成する前壁部７０には、第１扉４に設けられた操作パネル４７を露出させる窓部が形成されている。本実施形態の窓部は、前壁部７０を前後方向に貫通した正面視矩形状の孔７３である。
【００３６】
第１カバー７には複数のねじ挿通孔７４が形成されている。本実施形態では、第１カバー７の正面視矩形状の前壁部７０における四隅の各々にねじ挿通孔７４が形成されている。各ねじ挿通孔７４は前壁部７０を前後方向に貫通している。
【００３７】
第１カバー７が取り付けられる第１扉４において、各ねじ挿通孔７４に対応する部分には、前方に開口したねじ穴４８が形成されている。本実施形態では、第１扉４の正面視矩形状の平板部４０における四隅の各々にねじ穴４８が設けられている。なお、各ねじ穴４８は、平板部４０自体に形成されてもよいし、平板部４０に取り付けられたナットにより構成されてもよい。
【００３８】
宅配ボックス１は、第１カバー７を第１扉４に着脱自在に取り付けるための第１の固着具をさらに具備している。本実施形態の第１の固着具は、複数のねじ１１で構成されている。これら複数のねじ１１は、第１カバー７の複数のねじ挿通孔７４にそれぞれ挿通され、第１扉４の複数のねじ穴４８にそれぞれねじ込まれる。これにより、第１カバー７は第１扉４に取り付けられる。すなわち、本実施形態では、第１カバー７において複数のねじ挿通孔７４が形成された部分が第１扉４に取り付けられる被取付部分となっている。また、第１扉４において複数のねじ穴４８が設けられた部分が第１カバー７を取り付ける取付部分となっている。
【００３９】
第２カバー８は第２扉５よりも断熱性が優れた材質から形成されており、例えば合成樹脂製である。第２カバー８は背面視において第２扉５よりも一回り大きい矩形状に形成されている。第２カバー８は、矩形板状の後壁部８０と、後壁部８０の周縁部から前方に向かって突出した矩形枠状の周壁部８１とを備えている。
【００４０】
第２カバー８には、第２扉５が嵌め込まれる嵌込部が形成されている。本実施形態の嵌込部は、後壁部８０と周壁部８１とで構成され前方に開口した凹部８２である。凹部８２は正面視矩形状に形成されている。
【００４１】
第２カバー８には複数のねじ挿通孔８４が形成されている。本実施形態では、第２カバー８の背面視矩形状の後壁部８０における四隅の各々にねじ挿通孔８４が形成されている。各ねじ挿通孔８４は後壁部８０を前後方向に貫通している。
【００４２】
第２カバー８が取り付けられる第２扉５において、各ねじ挿通孔８４に対応する部分には、後方に開口したねじ穴５８が形成されている。このねじ穴５８は、本実施形態では、第２扉５の正面視矩形状の平板部５０における四隅の各々に設けられている。なお、各ねじ穴５８は、平板部５０自体に形成されてもよいし、平板部５０に取り付けられたナットにより構成されてもよい。
【００４３】
宅配ボックス１は、第２カバー８を第２扉５に着脱自在に取り付けるための第２の固着具をさらに具備している。本実施形態の第２の固着具は、複数のねじ１２で構成されている。これら複数のねじ１２は、第２カバー８の複数のねじ挿通孔８４にそれぞれ挿通され、第２扉５の複数のねじ穴５８にそれぞれねじ込まれる。これにより、第２カバー８は第２扉５に取り付けられる。すなわち、本実施形態では、第２カバー８において複数のねじ挿通孔８４が形成された部分が第２扉５に取り付けられる被取付部分となっている。また、第２扉５において複数のねじ孔５８が設けられた部分が第２カバー８を取り付ける取付部分となっている。
【００４４】
宅配ボックス１を設置する作業は、例えば以下のように行われる。作業者は、まず、荷受箱２を図３に示すように外壁９の貫通孔９０に嵌め込む。次に作業者は、荷受箱２をねじなどの固着具（図示せず）を用いて外壁９に対して固定する。これにより、荷受箱２は、前端部が外壁９に埋め込まれた状態で外壁９に対して固定される。
【００４５】
第１カバー７を第１扉４に取り付けるか否か、及び第２カバー８を第２扉５に取り付けるか否かは、任意である。すなわち、宅配ボックス１は、第１扉４に第１カバー７を取り付けた状態と、第１扉４に第１カバー７を取り付けない状態とのいずれの状態でも設置可能である。また、宅配ボックス１は、第２扉５に第２カバー８を取り付けた状態と、第２扉５に第２カバー８を取り付けない状態とのいずれの状態でも設置可能である。これにより、第１カバー７の有無と第２カバー８の有無との組み合わせにより、宅配ボックス１の断熱性能を、宅配ボックス１が設置される建物の構造や地域、利用者などに応じて適切な断熱性能にできる。
【００４６】
宅配ボックス１の第１扉４に第１カバー７を取り付ける作業は、例えば以下のように行われる。作業者は、まず、第１カバー７を第１扉４に被せて凹部７２に第１扉４を嵌め込む。次に作業者は、図１に示す複数のねじ１１を第１カバー７の複数のねじ挿通孔７４に前方からそれぞれ挿通し、これら複数のねじ１１を第１扉４の複数のねじ穴４８にそれぞれねじ込む。これにより、第１カバー７は第１扉４に取り付けられる。なお、この第１カバー７の取付けは、荷受箱２が外壁９に設置される前に行われてもよいし、荷受箱２が外壁９に設置された後に行われてもよい。
【００４７】
図３に示すように、第１扉４に第１カバー７が取り付けられた状態では、第１扉４の平板部４０の前面（第１扉４の表面）が第１カバー７の前壁部７０によって覆われ、周板部４１の外周面（第１扉４の外周面）が第１カバー７の周壁部７１によって覆われる。このとき、第１扉４の操作パネル４７は、図１に示す第１カバー７の孔７３を介して屋外に露出し、これにより、開ボタン４５、捺印ボタン４６、及び差込口４４が利用可能となる。
【００４８】
宅配ボックス１の第２扉５に第２カバー８を取り付ける作業は、第１扉４に第１カバー７を取り付ける作業と同様である。すなわち、作業者は、まず、第２カバー８を第２扉５に被せて凹部８２に第２扉５を嵌め込む。次に作業者は、複数のねじ１２を第２カバー８の複数のねじ挿通孔８４に後方からそれぞれ挿通し、これら複数のねじ１２を第２扉５の複数のねじ穴５８にそれぞれねじ込む。これにより、第２カバー８は第２扉５に取り付けられる。なお、この第２カバー８の取付けは、荷受箱２が外壁９に設置される前に行われてもよいし、荷受箱２が外壁９に設置された後に行われてもよい。
【００４９】
図３に示すように、第２扉５に第２カバー８が取り付けられた状態では、第２扉５の平板部５０の後面（第２扉５の表面）が第２カバー８の後壁部８０によって覆われ、周板部５１の外周面（第２扉５の外周面）が第２カバー８の周壁部８１によって覆われる。
【００５０】
なお、第１カバー７を第１扉４から取り外すには、複数のねじ１１（図１参照）を第１扉４から外せばよい。また、第２カバー８を第２扉５から取り外すには、複数のねじ１２（図１参照）を第２扉５から外せばよい。
【００５１】
（第２実施形態）
次に第２実施形態について説明する。以下の第２実施形態の説明では、第１実施形態と共通の構成については同一の符号を付し、共通する点については説明を省略する。
【００５２】
前述した第１実施形態の宅配ボックス１は、１種類の第１カバー７と、１種類の第２カバー８とを具備している。これに対して本実施形態の宅配ボックス１は、互いに断熱性能が異なり第１扉４に対して選択的に取付可能な複数種類の第１カバーと、互いに断熱性能が異なり第２扉５に対して選択的に取付可能な複数種類の第２カバーとを具備している。
【００５３】
本実施形態の宅配ボックス１は、断熱性能が異なる複数種類の第１カバーとして、第１実施形態の第１カバー７（図３参照）と、図４Ａに示す第１カバー７Ａと、図４Ｂに示す第１カバー７Ｂとを具備している。
【００５４】
第１カバー７Ａ，７Ｂは、第１カバー７と略同様の構成を有している。このため、以下の説明では、第１カバー７Ａ，７Ｂにおいて第１カバー７と同様の構成については、共通の符号を付し、重複する説明は省略する。
【００５５】
図４Ａに示す第１カバー７Ａの前壁部７０の厚みは、第１カバー７の前壁部７０（図３参照）の厚みよりも小さい。このため、第１カバー７Ａは第１カバー７よりも断熱性能が低い。図４Ｂに示す第１カバー７Ｂの前壁部７０の厚みは、第１カバー７の前壁部７０（図３参照）の厚みよりも大きい。このため、第１カバー７Ｂは第１カバー７よりも断熱性能が高い。なお、第１カバー７Ａ，７Ｂも、第１カバー７と同じ態様で第１扉４に着脱自在に取り付けられる。すなわち、第１カバー７Ａ，７Ｂは、複数のねじを第１カバー７Ａ，７Ｂを通して、第１カバー７の取り付けに用いられる複数のねじ穴４８にそれぞれねじ込むことで第１扉４に取り付けられる。
【００５６】
本実施形態の宅配ボックス１は、断熱性能が異なる複数種類の第２カバーとして、第１実施形態の第２カバー８（図３参照）と、第２カバー８よりも断熱性能が低い第２カバー（図示せず）と、第２カバー８よりも断熱性能が高い第２カバー（図示せず）とを具備している。これら複数種類の第２カバー８の断熱性能も、第１カバー７，７Ａ，７Ｂと同様に、後壁部８０の厚みを異ならせることで異なっている。また、断熱性能が低い第２カバー及び断熱性能が高い第２カバーは、第２カバー８と同じ態様で第２扉５に着脱自在に取り付けられる。すなわち、断熱性能が低い第２カバー及び断熱性能が高い第２カバーは、複数のねじを第２カバーを通して、第２カバー８の取り付けに用いられる複数のねじ穴５８にそれぞれねじ込むことで第２扉５に取り付けられる。
【００５７】
本実施形態の宅配ボックス１は、第１扉４に取り付けられる第１カバーを、断熱性能の異なる複数種類の第１カバー７，７Ａ，７Ｂの中から選択できる。また、第２扉５に取り付けられる第２カバーを断熱性能の異なる複数種類の第２カバー８の中から選択できる。このため、宅配ボックス１の断熱性能を、宅配ボックス１が設置される建物の構造や地域、利用者などに応じてより適切な断熱性能にすることができる。
【００５８】
（第３実施形態）
次に第３実施形態について説明する。以下の第３実施形態の説明では、第１実施形態と共通の構成については同一の符号を付し、共通する点については説明を省略する。
【００５９】
本実施形態の宅配ボックス１は、図５に示すように荷受箱２の外面にも断熱材２５が設けられている。具体的には、板状の断熱材２５が、荷受箱２の外面の略全体に亘るように、荷受箱２の左右の側板部３０，３１と、底板部２８（図１参照）と、天板部２９（図１参照）との各々の外面に取り付けられている。
【００６０】
（第４実施形態）
次に第４実施形態について説明する。以下の第４実施形態の説明では、第１実施形態と共通の構成については同一の符号を付し、共通する点については説明を省略する。
【００６１】
本実施形態の宅配ボックス１は、図６に示すように、荷出口２３が荷受箱２の側板部３０に形成されている。
【００６２】
（補足）
前述した各実施形態の宅配ボックス１は、荷受箱２、第１扉４、及び第２扉５が、例えば合成樹脂などの金属以外の材料から形成されてもよい。また、第１扉４及び第２扉５のそれぞれの回転軸方向は、上下方向に限られず、例えば左右方向であってもよい。
【００６３】
また、第１カバー７は、第１扉４に対してねじ以外の手段（例えば掛止）により着脱自在に取り付けられてもよい。また、第２カバー８は、第２扉５に対してねじ以外の手段（例えば掛止）により着脱自在に取り付けられてもよい。
【００６４】
また、断熱部材６は、荷受箱２に取り付けられた第１のパッキン６１と第２扉５に取り付けられた第２のパッキン６２とで構成されているが、これに限られない。断熱部材６は、荷受箱２と第２扉５とのうちの一方に取り付けられたパッキンだけで構成されてもよい。また、断熱部材６は繊維材や発泡プラスチック等から形成されてもよい。
【００６５】
また、荷受箱２と荷受口２１を閉塞した第１扉４との間には、断熱部材６と同様の断熱部材が設けられてもよい。また、この場合、荷受箱２と荷出口２３を閉塞した第２扉５との間には、断熱部材６が設けられてもよいし、設けられてなくてもよい。また、荷受箱２と荷受口２１を閉塞した第１扉４との間、及び荷受箱２と荷出口２３を閉塞した第２扉５との間のいずれにも、断熱部材６が設けられなくてもよい。
【００６６】
また、断熱材２５は荷受箱２の内面と外面とのうちの外面にのみ設けられてもよい。また、断熱材２５は省略可能である。
【００６７】
また、前述した各実施形態における構成は、適宜組み合わせてもよい。また、宅配ボックス１が設置される建物の外壁９は、玄関壁以外の外壁９であってもよい。また、宅配ボックス１の設置対象となる建物の外壁９には、建物の屋外側と屋内側とを仕切る仕切りやサッシなども含まれる。
【００６８】
また、第２実施形態の宅配ボックス１は、３種類の第１カバー７を具備しているが、断熱性能が異なる２種類又は４種類以上の第１カバーを具備してもよい。また、第２実施形態の宅配ボックス１は、３種類の第２カバー８を具備しているが、断熱性能が異なる２種類又は４種類以上の第２カバーを具備してもよい。
【００６９】
また、この他、前述した各実施形態の宅配ボックス１は、設置箇所や地域等に応じて適宜設計変更可能である。
【００７０】
（効果）
以上説明した第１〜第４実施形態に係る第１の態様の宅配ボックス１は、以下に示す特徴を有している。宅配ボックス１は、建物の外壁９を貫通するように設置可能な荷受箱２を具備している。荷受箱２は、屋外に開口する荷受口２１と、屋内に開口する荷出口２３とを備える。宅配ボックス１は、荷受口２１を開閉する第１扉４と、荷出口２３を開閉する第２扉５とをさらに具備する。断熱性を有しかつ第１扉４を覆う第１カバー７が、第１扉４に対して着脱自在に取付可能である。断熱性を有しかつ第２扉５を覆う第２カバー８が、第２扉５に対して着脱自在に取付可能である。
【００７１】
この第１の態様の宅配ボックス１は、第１カバー７を第１扉４に取り付けるか否かを選択でき、また、第２カバー８を第２扉５に取り付けるか否かを選択できる。このため、宅配ボックス１の断熱性能を、宅配ボックス１が設置される建物の構造や地域、利用者などに応じて適切な断熱性能にすることができる。
【００７２】
また、第２実施形態に係る第２の態様の宅配ボックス１は、第１の態様の宅配ボックス１において、以下に示す付加的な特徴を有している。第１扉４に対して、互いに断熱性が異なる複数種類の第１カバー７，７Ａ，７Ｂが選択的に取付可能である。第２扉５に対して、互いに断熱性が異なる複数種類の第２カバー８が選択的に取付可能である。
【００７３】
この第２の態様の宅配ボックス１は、第１扉４に対して断熱性が異なる複数種類の第１カバー７，７Ａ，７Ｂの中から選択した第１カバーを取り付けることができる。また、第２扉５に対して断熱性が異なる複数種類の第２カバー８の中から選択した第２カバーを取り付けることができる。このため、宅配ボックス１の断熱性能を、宅配ボックス１が設置される建物の構造や地域、利用者などに応じてより適切な断熱性能にすることができる。
【００７４】
また、第１〜第４実施形態に係る第３の態様の宅配ボックス１は、第１又は第２の態様の宅配ボックス１において、以下に示す付加的な特徴を有している。第１扉４に対して、第１カバー７が第１の固着具（複数のねじ１１）によって着脱自在に取付可能である。第２扉５に対して、第２カバー８が第２の固着具（複数のねじ１２）によって着脱自在に取付可能である。
【００７５】
この第３の態様の宅配ボックス１は、第１カバー７を第１扉４に第１の固着具を用いて取り付けることができる。また、第２カバー８を第２扉５に第２の固着具を用いて取り付けることができる。
【００７６】
また、第１〜第４実施形態に係る第４の態様の宅配ボックス１は、第１〜第３のいずれか１つの態様の宅配ボックス１において、以下に示す付加的な特徴を有している。荷受箱２と荷受口２１を閉塞した第１扉４との間、及び荷受箱２と前記荷出口２３を閉塞した第２扉５との間のうち少なくとも一方に配置される断熱部材６をさらに具備する。
【００７７】
この第４の態様の宅配ボックス１は、断熱部材６により、第１扉４と荷受箱２との間における熱の移動、及び第２扉５と荷受箱２との間における熱の移動のうちの少なくとも一方を抑制できる。このため、宅配ボックス１の断熱性能を一層高めることができる。
【００７８】
また、第１〜第４実施形態に係る第５の態様の宅配ボックス１は、第１〜第４のいずれか１つの態様の宅配ボックス１において、以下の付加的な特徴を有している。宅配ボックス１は、第１扉４に対して着脱自在に取付可能な第１カバー７と、第２扉５に対して着脱自在に取付可能な第２カバー８とをさらに具備している。
【００７９】
この第５の態様の宅配ボックス１は、第１カバー７を第１扉４に取り付けることで、宅配ボックス１の断熱性能を高めることができる。また、第２カバー８を第２扉５に取り付けることで、宅配ボックス１の断熱性能を高めることができる。
【００８０】
また、第１〜第４実施形態に係る第６の態様の宅配ボックス１は、第５の態様の宅配ボックス１において、以下に示す付加的な特徴を有している。第１カバー７は、第１扉４に取り付けられた状態で第１扉４の表面と外周面とを覆う。第２カバー８は、第２扉５に取り付けられた状態で第２扉５の表面と外周面とを覆う。
【００８１】
この第３の態様の宅配ボックス１は、第１カバー７により第１扉４の表面と外周面とを覆うことができ、第２カバー８により第２扉５の表面と外周面とを覆うことができる。このため、第１カバー７及び第２カバー８を取り付けたときにおける宅配ボックス１の断熱性能を高めることができる。
【符号の説明】
【００８２】
１  宅配ボックス
１１  ねじ（第１の固着具）
１２  ねじ（第２の固着具）
２  荷受箱
２１  荷受口
２３  荷出口
４  第１扉
５  第２扉
６  断熱部材
７  第１カバー
７Ａ  第１カバー
７Ｂ  第１カバー
８  第２カバー
９  外壁
【図１】
2017225496.tif 000003
【図２】
2017225496.tif 000004
【図３】
2017225496.tif 000005
【図４】
2017225496.tif 000006
【図５】
2017225496.tif 000007
【図６】
2017225496.tif 000008